(57)【要約】      （修正有）【課題】コンパクトに収納可能な頁めくり装置を提供する。【解決手段】頁めくり装置を収納する際には、保持台と、頁めくり本体部１０とを、Ａ５サイズの本の頁をめくるのに最適な設置位置でベースプレート５０に固定した状態とする。ブックホルダー５１は、当該頁めくり装置の使用時には、前記保持台に載置された本の天地に渡るように保持台上に配置され、収納ボックスへの収納時には、本体部１１の前面の一部を、上から下にいくほど、手前から奥側に傾斜するように斜めにカットした形状とすることによってベースプレート５０上に生じた空き領域に退避させることで、ベースプレート５０に固定したままベースプレート５０に対して斜めに収納する。【選択図】図１０
2019166808.tif 000002
【特許請求の範囲】
【請求項１】
見開いた本の頁をめくる頁めくり装置であって、
当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、
前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、
前記保持台に載置された本を前記めくり元位置で保持するためのブックホルダーと、
を備え、
前記本体部は、
前面の一部が上から下にいくほど、手前から奥側に傾斜するように斜めにカットされた形状を有し、
前記ブックホルダーは、
当該頁めくり装置の使用時には、前記保持台に載置された本の天地に渡って前記保持台上に配置され、当該頁めくり装置の未使用時には、前記本体部の斜めにカットされたことによって生じた空き領域に退避することで斜めに収納可能に構成されることを特徴とする頁めくり装置。
【請求項２】
前記保持台と前記頁めくり本体部とを所定の状態で固定するベースプレートを備え、
前記ブックホルダーは、
前記ベースプレートに着脱可能に固定され、当該頁めくり装置の未使用時には、前記ベースプレートに固定されたまま前記ベースプレートに対して斜めに収納される、
ことを特徴とする請求項１に記載の頁めくり装置。
【請求項３】
前記ブックホルダーは、
長手方向に所定の角度で形成された長孔を介してネジ部によって前記ベースプレートに着脱可能に固定されており、
前記ネジ部を緩めることで、前記ベースプレートに係合された状態で、前記ネジ部を回転軸として回転可能に、かつ前記長孔の形状に沿って移動可能となっていることを特徴とする請求項２に記載の頁めくり装置。
【請求項４】
所定の間隔で配置された少なくとも１対の脚部を有し、前記本の頁を撮像する撮像手段を有する情報処理端末が設置される撮像装置スタンドと、
略直方体形状からなり、当該頁めくり装置の未使用時に、前記保持台、前記頁めくり本体部、及び前記ブックホルダーを前記略直方体形状の内部に収納し、前記撮像装置スタンドを構成する前記少なくとも１対の脚部の間に挿入される収納ボックスと、
を備えることを特徴とする請求項１乃至３のいずれか１つに記載の頁めくり装置。
【請求項５】
前記頁めくり本体部によって前記めくり元位置から前記めくり先位置までめくられた頁を前記めくり先位置で保持する頁押さえ装置をさらに備え、
前記収納ボックスは、当該頁めくり装置の未使用時に、自身の外側面に前記頁押さえ装置を引っ掛けて固定する固定部を備えることを特徴とする請求項４に記載の頁めくり装置。
【請求項６】
前記本のサイズは、Ａ５サイズであることを特徴とする請求項１乃至５のいずれか１つに記載の頁めくり装置。
【請求項７】
見開いた本の頁をめくる頁めくり装置であって、
当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、
前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、
前記保持台と前記頁めくり本体部とを所定の状態で固定するベースプレートと、
前記保持台に載置された本を前記めくり元位置で保持するためのブックホルダーと、
を備え、
前記本体部は、
前面の一部が上から下にいくほど、手前から奥側に傾斜するように斜めにカットされた形状を有し、
前記ブックホルダーは、
当該頁めくり装置の使用時には、前記保持台に載置された本の天地に渡って前記保持台上に配置され、当該頁めくり装置の未使用時には、前記本体部の斜めにカットされたことによって生じた空き領域に退避することで、前記ベースプレートに固定されたまま前記ベースプレートに対して斜めに収納可能に構成されることを特徴とする頁めくり装置。
【請求項８】
見開いた本の頁をめくる頁めくり装置の収納方法であって、
前記本を見開いた状態で保持する保持台と、前記見開いた本の前記頁のめくり元位置で当該頁を保持し、前記頁のめくり先位置まで前記頁をめくる頁めくり機構を有する頁めくり本体部と、前記保持台に載置された本を前記めくり元位置で保持するためのブックホルダーと、を略直方体形状からなる収納ボックスの内部に収納するに際して、前記保持台を折り畳んで収納するとともに、前記ブックホルダーを、前記頁めくり本体部の前面の一部を、上から下にいくほど、手前から奥側に傾斜するように斜めにカットした形状とすることによって生じた空き領域に退避させることで斜めに収納することを特徴とする頁めくり装置の収納方法。
【請求項９】
前記ブックホルダーは、
前記保持台と前記頁めくり本体部とを所定の状態で固定するベースプレートに着脱可能に固定され、前記収納ボックスに収納する際は、前記ベースプレートに固定されたまま前記ベースプレートに対して斜めに収納される、
ことを特徴とする請求項８に記載の頁めくり装置の収納方法。
【請求項１０】
前記ブックホルダーは、
長手方向に所定の角度で形成された長孔を介してネジ部によって前記ベースプレートに着脱可能に固定されており、
前記ネジ部を緩めることで、前記ベースプレートに係合された状態で、前記ネジ部を回転軸として回転可能に、かつ前記長孔の形状に沿って移動可能となっていることを特徴とする請求項９に記載の頁めくり装置の収納方法。
【請求項１１】
前記収納ボックスを、所定の間隔で配置された少なくとも１対の脚部を有し、前記本の頁を撮像する撮像手段を有する情報処理端末が設置される撮像装置スタンドの前記少なくとも１対の脚部の間に挿入して収納することを特徴とする請求項８乃至１０のいずれか１つに記載の頁めくり装置の収納方法。
【発明の詳細な説明】
【技術分野】
【０００１】
本発明は、頁めくり装置、及び頁めくり装置の収納方法に関する。
【背景技術】
【０００２】
従来、本等の頁を自動でめくる装置としては、重なっている頁を一枚ずつ吸着して頁をめくる頁めくり装置が知られている（例えば特許文献１参照）。当該頁めくり装置は、大きく分けて、頁めくり本体部と、保持台と、撮像装置スタンドとからなる。
【０００３】
頁めくり本体部は、円弧軌道を往復運動するアームや、該アーム先端に設けられ、保持台に保持された見開きの本の頁を１頁ずつ吸着してめくり上げる吸着部、上記アームや吸着部を駆動する駆動部（モータ）、めくった頁がめくり元位置に戻らないように頁の裏側に向けて風を吹き付ける送風部、該駆動部や該送風部の動作を制御する制御系（電子回路；電源回路を含む）などからなる。
【０００４】
上記頁めくり装置では、本を見開くように保持台に保持し、円弧軌道を往復運動する吸着部で本の頁を保持してめくり上げ、めくり元位置に戻らないように、めくり先側でローラ等からなる頁保持部でめくり上げた頁を巻き込んで押さえ込むか、手動でめくり上げられた頁を押さえ込む動作を繰り返すことで本の頁を順次めくる。
【０００５】
このとき、本のめくり元位置の上流側に配置されている送風部から、吸着部によってめくられる頁の裏側に向けて風を吹き付けることで、吸着部から分離した頁をめくり先位置へと案内し、当該頁がめくり元位置に戻ってしまうことを防止する。そして、頁を順次めくる動作の過程で、撮像装置スタンドに設置されたタブレットなどのカメラで頁を順次撮像し、本の電子化を実現している。
【先行技術文献】
【特許文献】
【０００６】
【特許文献１】特開２０１６−０１０９０７号公報
【発明の概要】
【発明が解決しようとする課題】
【０００７】
上述した従来の頁めくり装置では、コンパクトに収納することを考慮していないため、それぞれのユニットのサイズが大きく、使用していないときでも、使用時と同程度の場所を占有してしまうという問題がある。
【０００８】
そこで本発明の課題は、頁めくり装置をコンパクトに収納可能とすることである。
【課題を解決するための手段】
【０００９】
この発明の第１の様態に係る頁めくり装置は、見開いた本の頁をめくる頁めくり装置であって、当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、前記保持台に載置された本を前記めくり元位置で保持するためのブックホルダーと、を備え、前記本体部は、前面の一部が上から下にいくほど、手前から奥側に傾斜するように斜めにカットされた形状を有し、前記ブックホルダーは、当該頁めくり装置の使用時には、前記保持台に載置された本の天地に渡って前記保持台上に配置され、当該頁めくり装置の未使用時には、前記本体部の斜めにカットされたことによって生じた空き領域に退避することで斜めに収納可能に構成されることを特徴とする。
【００１０】
この発明の第２の様態に係る頁めくり装置は、見開いた本の頁をめくる頁めくり装置であって、当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、前記保持台と前記頁めくり本体部とを所定の状態で固定するベースプレートと、前記保持台に載置された本を前記めくり元位置で保持するためのブックホルダーと、を備え、前記本体部は、前面の一部が上から下にいくほど、手前から奥側に傾斜するように斜めにカットされた形状を有し、前記ブックホルダーは、当該頁めくり装置の使用時には、前記保持台に載置された本の天地に渡って前記保持台上に配置され、当該頁めくり装置の未使用時には、前記本体部の斜めにカットされたことによって生じた空き領域に退避することで、前記ベースプレートに固定されたまま前記ベースプレートに対して斜めに収納可能に構成されることを特徴とする。
【００１１】
この発明の第３の様態に係る頁めくり装置の収納方法は、見開いた本の頁をめくる頁めくり装置の収納方法であって、前記本を見開いた状態で保持する保持台と、前記見開いた本の前記頁のめくり元位置で当該頁を保持し、前記頁のめくり先位置まで前記頁をめくる頁めくり機構を有する頁めくり本体部と、前記保持台に載置された本を前記めくり元位置で保持するためのブックホルダーと、を略直方体形状からなる収納ボックスの内部に収納するに際して、前記保持台を折り畳んで収納するとともに、前記ブックホルダーを、前記頁めくり本体部の前面の一部を、上から下にいくほど、手前から奥側に傾斜するように斜めにカットした形状とすることによって生じた空き領域に退避させることで斜めに収納することを特徴とする。
【発明の効果】
【００１２】
この発明によれば、頁めくり装置をコンパクトに収納することができる。
【図面の簡単な説明】
【００１３】
【図１】本実施形態の頁めくり装置１の使用状態を示す斜視図である。
【図２】本実施形態の頁めくり装置１の収納状態を示す斜視図である。
【図３】本実施形態の頁めくり装置１の収納／展開状態を示す斜視図である。
【図４】本実施形態の収納ボックス８０への収納状態を示す斜視図である。
【図５】本実施形態の頁めくり装置１を使用するために収納状態から使用状態への移行途中（頁めくり本体部１０や保持台２０、支持台座２３等の取り出し状態）を示す斜視図である。
【図６】本実施形態の頁めくり装置１を使用するために収納状態から使用状態への移行途中（保持台２０、支持台座２３の展開状態）を示す斜視図である。
【図７】本実施形態の頁めくり装置１の保持台２０の折り畳み構造を示す模式図である。
【図８】本実施形態の頁めくり装置１を使用するために収納状態から使用状態への移行途中（撮像装置スタンド４０のスタンド固定板５４の設置状態）を示す斜視図である。
【図９】本実施形態の頁めくり装置１を使用するために収納状態から使用状態への移行途中（支持補助部材５３の設置状態）を示す斜視図である。
【図１０】本実施形態の頁めくり装置１を使用するために収納状態から使用状態への移行途中（ブックホルダー５１の設置状態）を示す斜視図である。
【図１１】本実施形態による頁押さえ装置３０の外観構造を示す斜視図である。
【図１２】本実施形態の頁めくり装置１を使用するために収納状態から使用状態への移行途中（頁押さえ装置３０の取り付け状態）を示す斜視図である。
【図１３】本実施形態の頁めくり装置１を使用するために収納状態から使用状態への移行途中（頁押さえ装置３０の取り付け状態）を示す側面図である。
【図１４】本実施形態において、使用時の撮像装置スタンド４０を示す側面図である。
【図１５】本実施形態の頁めくり本体部１０のベースプレート５０への固定方法を説明するための斜視図である。
【図１６】本実施形態の頁めくり本体部１０のベースプレート５０への固定方法を説明するための上面図である。
【図１７】本実施形態の頁めくり本体部１０の位置調整方法（文庫本、Ａ５サイズ）を説明するための上面図である。
【図１８】本実施形態の頁めくり本体部１０の位置調整方法（Ａ４サイズ）を説明するための上面図である。
【図１９】本実施形態の頁めくり装置１の送風部１６の取り付け位置と従来との違いを説明するための正面図である。
【図２０】本実施形態の頁めくり装置１の送風部１６の高さと本との関係を説明するための側面図である。
【図２１】本実施形態の頁めくり装置１の頁めくり本体部１０の形状とブックホルダーの形状とを説明するための斜視図である。
【図２２】本実施形態の頁めくり装置１の支持補助部材５３の収納状態とスライド構造を説明するための上面図及び斜視図である。
【図２３】本実施形態の頁めくり装置１の支持補助部材５３のスライド構造を説明するための模式図である。
【発明を実施するための形態】
【００１４】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１５】
図１は、本発明の実施形態による頁めくり装置１の使用状態における外観を示す斜視図である。なお、以下の説明においては本の頁を左から右へとめくる場合について説明する。図１において、頁めくり装置１は、大別して、本の頁をめくる頁めくり本体部１０と、開かれた本を保持する保持台２０と、めくられた頁をめくり先位置で保持する頁押さえ装置３０と、本の頁を撮像する撮像手段を有する情報処理端末（スマートフォンや、タブレットなど；不図示）を設置する撮像装置スタンド４０とからなる。
【００１６】
頁めくり本体部１０は、本体部１１と、アーム部１２と、アーム部１２を右から左、左から右へと往復揺動させるモータなどの第一駆動部１３と、アーム部１２の先端に取り付けられ、本の頁に対して吸着する吸着部（粘着ローラ部、もしくは粘着部）１４と、該吸着部１４を回動させるモータなどの第二駆動部１５と、めくり元位置にある頁の上方に風を通過させ、吸着部１４によりめくられた頁に対して風を当てることで頁のめくり動作を補助する送風部１６とを備えている。頁めくり本体部１０は、保持台２０から独立しており、本のサイズに応じて保持台２０に対する位置、方向を適宜調整することが可能となっている。なお、頁めくり本体部１０の位置調整の詳細については後述する。
【００１７】
本体部１１は、詳細は後述するが、前面の一部が、上から下にいくほど、手前から奥側に傾斜するように斜めにカットされた多面形状を有し、各部の動作を制御する図示しない電子回路等を内蔵している。また、本体部１１の所定の位置には、送風部１６が組み込まれている。保持台２０は、ヒンジにより折り畳み自在な一対の保持板２１、２２を備えている。ここで、本の頁が左から右へとめくられる場合は、一対の保持板２１、２２のうち、左側に配置された一方の保持板２１が卓上に沿うように置かれ、右側に置かれる他方の保持板２２が一方の保持板２１に対して所定の角度で起き上がるように傾斜して卓上に置かれる。一方の保持板２１上には、頁がめくられる前の本が置かれる。いわゆる、めくり元位置となる。他方の保持板２２上には、めくられた頁が保持される。いわゆる、頁のめくり先位置となる。
【００１８】
これにより、保持台２０は、めくり元位置にある頁よりもめくり先にある頁の方が本の綴じ目に対して起きる方向に傾斜するように本を保持することになる。なお、一対の保持板２１、２２がヒンジにより折り畳み自在となっているので、一対の保持板２１、２２のなす角度も調整することができ、めくり先位置にある頁の水平面に対する傾斜角度θが調整可能となっている。傾斜角度θとしては３０〜４５度内の範囲で調整することが好ましい。
【００１９】
また、保持台２０は、頁めくり装置１を収納する際に後述する収納ボックス８０に収まるようにするため、折り畳み可能となっている。すなわち、保持台２０は、保持板２１ａ、２２ａと、収納時に内側に折り畳み可能な保持板２１ｂ、２２ｂとからなる。すなわち、収納時には、保持板２１ｂは、保持板２１ａに重なるように（保持板２１ａと保持板２１ｂとを連結する）ヒンジにより折り畳まれる。
【００２０】
同様に、保持板２２ｂは、保持板２２ａに重なるように（保持板２２ａと保持板２２ｂとを連結する）ヒンジにより折り畳まれる。さらに、保持板２２ｂが折り畳まれた状態での保持板２２ａが、（保持板２１ａと保持板２２ａと連結する）ヒンジにより、保持板２１ｂが折り畳まれた保持板２１ａ上に折り畳まれる。このように、本を保持する保持台を多重に折り畳み可能な構造とすることで、より小さな空間内に収納することができるようになっている。
【００２１】
なお、保持台２０は、一対の保持板２１、２２により、めくり元位置にある頁よりもめくり先にある頁の方が本の綴じ目に対して起きる方向に傾斜するように本を保持するため、めくり元位置の保持板２１を構成する保持板２１ａ、２１ｂのそれぞれの表面（本が当接する面）にすべり止めシート（不図示）を設けるようにしてもよい。
【００２２】
ベースプレート５０は、頁めくり装置１を使用する際には、頁めくり本体部１０及び保持台２０のずれを防止するための設置シートとして機能し、頁めくり装置１を収納する際には、頁めくり本体部１０及び保持台２０を一体化するシートとして機能する。詳細は後述するが、ベースプレート５０には、上述した頁めくり本体部１０と保持台２０とがネジにより固定されている。頁めくり本体部１０は、ベースプレート５０に対するネジによる固定位置を可変することで、上述したように、本のサイズに応じて保持台２０に対する位置、方向を適宜調整することが可能となっている。
【００２３】
また、ベースプレート５０には、保持板２２を所定の角度（数段階）で支持する支持台座２３がヒンジを介して設けられている。支持台座２３には、保持板２２の背部に設置されている不図示のスタンドを所定の角度（多段階）で支持する溝が形成されている。この構造の詳細については後述する。また、ベースプレート５０の上面には、本のサイズに応じた保持台２０に対する頁めくり本体部１０の固定位置をユーザに案内するためのガイド（イラスト；不図示）が記されている。
【００２４】
このように、本実施形態では、ベースプレート５０上に頁めくり本体部１０及び保持台２０を取り付ける構造としたので、頁めくり動作時に、頁めくり本体部１０及び保持台２０を安定させるために重量を増すために重りを実装する必要がなく、軽量化することができる。
【００２５】
また、ベースプレート５０の下面には、撮像装置スタンド４０を固定するためのスタンド固定板５４が（一回転軸を介して）スライド可能に重ねられて設けられている。収納時には、ベースプレート５０の下方に回転させることで格納され、使用時には、ベースプレート５０から所定の位置に回転させて露出させる。スタンド固定板５４の一部は、ベースプレート５０の下方に格納された状態でもベースプレート５０から露出しており、該露出している部分に、撮像装置スタンド４０を固定するためのネジが配置されている。
【００２６】
頁押さえ装置３０は、保持板２２ａの上端部に装着される。頁押さえ装置３０は、吸着部１４の往復揺動によってめくられた頁がめくり元位置に戻らないようにめくり先位置に巻き込む頁保持部３１と、めくり先位置にある頁を留めるクリップ部３２とを備えている。頁保持部３１は、着脱可能にクリップ部３２に固定されている。頁保持部３１は、クリップ部３２に固定された状態で、簡単な操作で前後方向に移動可能となっている。該頁押さえ装置３０の詳細については後述する。
【００２７】
撮像装置スタンド４０は、撮像対象の見開かれた本のめくり元位置にある頁（めくられる前の頁）に対して対角方向に、かつ撮像装置スタンド４０の設置面に対して平行に伸びるステージ４１を有している。ステージ４１には、撮像装置として、例えばタブレット端末などの情報処理端末（不図示）が設置され、ステージ４１に設けられた開口部４２を介して、情報処理端末のカメラ部が本のめくり元位置にある頁（めくられる前の頁）を撮像する。撮像装置スタンド４０は、上述したスタンド固定板５４に配置されているネジで固定される。スタンド固定板５４は、ベースプレート５０に対して回動可能（一回転軸を介して）に固定されているので、撮像装置スタンド４０を本のサイズに応じて容易に適切な位置に設置することができる。
【００２８】
ブックホルダー５１は、保持板２１の一端から他端に渡る長尺の板状の部材からなり、頁めくり動作中での本のずれを防止するために、保持板２１上に設置された本の表紙（又は裏表紙）と最終頁との間に挿入され、固定つまみ５２を絞めることによって保持板２１に固定される。
【００２９】
支持補助部材５３は、三角柱形状を有し、保持板２１の一端から他端に渡る長尺の部材からなる。支持補助部材５３は、保持板２１と該保持板２１に設置される本の背部分との間に配置され、本の背部分が水平面に対して所定の角度（例えば、約３０度）で保持されるように本の背部分を支持する。つまり、支持補助部材５３の、本の背部分に当接する斜面は、水平面に対して約３０度となっている。
【００３０】
このように、支持補助部材５３によって、本の背部分が反った状態、換言すれば、本Ｂの背部分の法線と水平面とがなす鋭角の角度がより大きくなるように保持される。このため、本のサイズが大きい場合や、頁の紙の腰が強い場合であっても、めくり元位置の頁は、本の紙（頁）の腰の強さと下方に反られた力とによって頁めくり先位置に反り返りやすくなり、吸着部１４の吸着力（もしくは粘着部の粘着力）や、送風部１６からの風力が従来と同じであっても、よりめくり易くなる。
【００３１】
本実施形態では、上述したブックホルダー５１及び支持補助部材５３は、収納時、頁めくり装置１から取り外されることなく、回転及び／又はスライドさせて所定の位置に移動させるだけで収納されるように構成されている。この構造の詳細については後述する。
【００３２】
図２は、本実施形態の頁めくり装置１の収納状態を示す斜視図である。略直方体の収納ボックス８０は、収納時、図２に示すように、撮像装置スタンド４０を構成する一対の脚部の間に挿入される。収納ボックス８０は、その縦横が、例えば、Ａ６サイズ（１０５ｍｍ×１４８ｍｍ）に、その厚さ（奥行）が撮像装置スタンド４０の脚部の間隔に収まるように設計されている。収納ボックス８０には、ベースプレート５０上に畳み込まれた頁めくり本体部１０や保持台２０、その他の付属品などが収納されている。このため、頁めくり本体部１０や保持台２０などは、ベースプレート５０上に取り付けられた状態で、収納ボックス８０内に収納可能なように、各部の寸法（頁めくり本体部１０の高さや、保持台２０の折り畳み時の高さなど）や、撮像装置スタンド４０の脚部の間隔などが設計されている。
【００３３】
また、収納ボックス８０の一外側面には、収納時に頁押さえ装置３０を固定するための差し込み部（固定部）８１が設けられている。差し込み部８１には、上方に開口した矩形状の差し込み孔（貫通孔）８２が形成されている。頁押さえ装置３０は、差し込み部８１の差し込み孔８２には、頁押さえ装置３０のクリップ部３２の板状の部材が挿抜可能となっている。収納時には、頁押さえ装置３０のクリップ部３２の板状の部材を、差し込み部８１の差し込み孔８２に挿入することで収納ボックス８０の外側面に固定する。これにより、さらなる一体化収納を実現している。
【００３４】
図３は、本実施形態の頁めくり装置１の収納／展開状態を示す斜視図である。頁めくり装置１により頁めくりを行う場合には、撮像装置スタンド４０から収納ボックス８０を引き出し、収納ボックス８０の外側面に保持されている頁押さえ装置３０を上方に引き抜く。一方、収納時には、頁押さえ装置３０のクリップ部３２の板状の部材を、差し込み部８１の差し込み孔８２に挿入して収納ボックス８０の外側面に固定し、収納ボックス８０ごと撮像装置スタンド４０を構成する一対の脚部の間に挿入する。
【００３５】
このように、頁めくり装置１の収納時には、頁めくり本体部１０や保持台２０、その他の付属品などを、例えば、ほぼＡ６サイズ（１０５ｍｍ×１４８ｍｍ）とした収納ボックス８０に収納するとともに、収納ボックス８０の外側面に頁押さえ装置３０を固定し、該収納ボックス８０を撮像装置スタンド４０の一対の脚部の間に挿入するようにしたので、一般的なキャビネットや、本棚などに容易に保管することが可能となる。また、撮像装置スタンド４０を、収納ボックス８０を収納する際のファイルフォルダとして用いることで、一体収納を実現することができるとともに、撮像装置スタンド４０自体の収納を考慮する必要がなくなる。
【００３６】
図４は、本実施形態の収納ボックス８０への収納状態を示す斜視図である。収納ボックス８０は、一面のみを開口しており、その中に、ベースプレート５０上に畳み込まれた頁めくり本体部１０や保持台２０、支持台座２３、その他の付属品などが収納されている。図４に示すように、保持台２０は畳み込まれており、その上に支持台座２３がヒンジを介して畳み込まれている。また、空いている隙間には、例えば、図示しないＡＣアダプタなどの付属品を収納してもよい。これにより、さらなる一体化収納を実現している。
【００３７】
上述したように、頁めくり本体部１０や保持台２０、支持台座２３、ベースプレート５０などは、収納ボックス８０内に収まるように、各部の寸法（頁めくり本体部１０の高さや、保持台２０及び支持台座２３の折り畳み時の高さなど）などが設計されている。
【００３８】
図５は、本実施形態の頁めくり装置１を使用するために収納状態から使用状態への移行途中（頁めくり本体部１０や保持台２０、支持台座２３等の取り出し状態）を示す斜視図である。図５には、収納ボックス８０から取り出した、ベースプレート５０上に畳み込まれた頁めくり本体部１０や保持台２０、支持台座２３、その他の付属品を示している。図示するように、保持台２０及び支持台座２３は、ヒンジを介して畳み込まれている。また、ブックホルダー５１は、ベースプレート５０に対して斜めに収納されているのが分かる。このように、本を保持する保持台２０を折り畳み構造とすることでコンパクトな収納を実現している。
【００３９】
図６は、本実施形態の頁めくり装置１を使用するために収納状態から使用状態への移行途中（保持台２０、支持台座２３の展開状態）を示す斜視図である。図６には、収納ボックス８０から取り出した状態から保持台２０、及び支持台座２３を展開した状態を示している。まず、支持台座２３を展開し（矢印Ａ）、次に、保持板２２ａ、保持板２２ｂの順に展開する（矢印Ｂ、Ｃ）。そして、最後に、保持板２１ｂを展開する（矢印Ｄ）。なお、図６では示されていないが、保持板２２ａの裏面には、一端がヒンジ（後述）を介して結合された支持板２３１が設けられており、該支持板２３１の他端を支持台座２３に形成されている複数の溝の任意の溝に係止することで、溝の位置に応じた角度で保持板２２が支持されることになる。どの溝で係止するかは、本の頁の厚さ（重さ）や、頁に用いられている用紙のコシの強さなどに応じて決めることが可能である。
【００４０】
また、図６に示すように、ブックホルダー５１は、収納時、斜めに収納されているのが分かる。本実施形態では、可能な限りコンパクトに収納するために、保持台２０を折り畳むなどしており、ブックホルダー５１は、例えば、Ａ５サイズ（の縦；２１０ｍｍ）の本の表紙を保持できる程度の長さを有しているので、図１に示すような使用時の状態のままでは、ブックホルダー５１を収納することができない。しかし、ブックホルダー５１をベースプレート５０から取り外して収納すると、使用時には装着、収納時には取り外しなどの作業が必要なり、ユーザに負担を強いることになる。そこで、本実施形態では、ブックホルダー５１をベースプレート５０に装着したまま斜めにすることで、収納ボックス８０内に収めることできる程度にコンパクトにしている。
【００４１】
ブックホルダー５１には、長手方向に斜めに延設された孔５１１が形成されており、該孔５１１を通して、ネジ部５１２でベースプレート５０に固定されている。収納時には、ネジ部５１２を緩め、ベースプレート５０に装着したまま斜め方向に押し込み、孔５１１の一方の端でネジ部５１２を締めることで固定する。このとき、本体部１１の前面の一部を、上から下にいくほど、手前から奥側に傾斜するように斜めにカットした形状とすることで、ブックホルダー５１を斜めに収納しても、ブックホルダー５１の後端部（固定つまみ５２の反対側）が本体部１１に当接することはない。これにより、ブックホルダー５１は、ベースプレート５０に装着したまま所定の位置に円滑に収納される。
【００４２】
図７（ａ）、（ｂ）、（ｃ）は、本実施形態の頁めくり装置１の保持台２０の折り畳み構造を示す模式図である。図７（ａ）には、収納ボックス８０から取り出した直後の状態が示され、図７（ｂ）には、保持台２０、支持台座２３を展開した状態が示されている。収納ボックス８０から取り出した直後（収納時）は、図７（ａ）に示すように、保持板２１及び保持板２２は、ヒンジｈ１により重なるように折り畳まれている。また、支持板２３１が保持板２２の裏面にヒンジｈ２により折り畳まれている。また、ベースプレート５０は、上面が内側に来るように、まず、ヒンジｈ３で図面の反時計回りに約９０度折り曲げられ、さらに、ヒンジｈ４で図面に向かって反時計回りに約９０度折り曲げられている。
【００４３】
一方、保持台２０、支持台座２３を展開する際（使用時）には、図７（ｂ）に示すように、ベースプレート５０が、内側が上面に来るように、まず、ヒンジｈ４で図面の時計回りに約９０度折り曲げられ、さらに、ヒンジｈ３で図面に向かって時計回りに約９０度折り曲げられることで水平状態とされる。そして、支持板２３１がヒンジｈ２により展開され、本の頁の厚さ（重さ）や、頁に用いられている用紙のコシの強さなどに応じて、保持板２２が適切な角度となるように支持台座２３の任意の溝に係止される。
【００４４】
図７（ｃ）には、展開された状態の保持台２０の模式図が示されている。保持板２１ａは、ベースプレート５０に固定されている。保持板２１ｂは、ヒンジｈ５を介して保持板２１ａと連結されている。また、保持板２２ａは、保持板２１ａとヒンジｈ１を介して連結されている。そして、保持板２２ｂは、保持板２２ａとヒンジｈ６を介して連結されている。したがって、保持台２０を展開するときには、上述したように、まず、保持板２２ａを、ヒンジｈ１を介して展開し、次に、保持板２２ｂを、ヒンジｈ６を介して展開し、最後に、ヒンジｈ５を介して保持板２１ｂを展開する。このように、本実施形態では、保持台２０を４分割とし、収納時には４分の１のサイズに折り畳むことが可能である。
【００４５】
図８は、本実施形態の頁めくり装置１を使用するために収納状態から使用状態への移行途中（撮像装置スタンド４０のスタンド固定板５４の設置状態）を示す斜視図である。図８には、図６に示す状態から、ベースプレート５０の裏側に収納されていたスタンド固定板５４を回転させて引き出した状態が示されている（矢印Ｅ）。スタンド固定板５４は、ベースプレート５０に固定するためのネジ（不図示）を回転軸として、ベースプレート５０に対して水平方向に回転可能となっている。また、スタンド固定板５４の先端部は、ベースプレート５０より長めに構成されており、その先端部には、撮像装置スタンド４０を固定するための突起部５４１、５４２が設けられている。つまり、突起部５４１、５４２を含む部分は、収納時にベースプレート５０の下側に潜り込まず、外側に露出している。ゆえに、使用時にスタンド固定板５４を引き出す際や、収納時にスタンド固定板５４を収納する際には、突起部５４１、５４２を把持して回転させればよい。また、スタンド固定板５４は、ベースプレート５０に回転可能に固定されているので、本のサイズに応じた適切な位置（角度）で撮像装置スタンド４０を設置することが可能となっている。
【００４６】
図９は、本実施形態の頁めくり装置１を使用するために収納状態から使用状態への移行途中（支持補助部材５３の設置状態）を示す斜視図である。図９には、図８に示す状態から、支持補助部材５３をスライドさせて引き出し、保持板２１ａ、２１ｂに跨る所定の位置に設置した状態が示されている。支持補助部材５３は、収納時、図８に示すように、頁めくり本体部１０側にスライドされて本体部１１の斜めにカットされたことによって生じた空き領域に退避させられる。また、使用時には、支持補助部材５３は、保持板２１ａ、２１ｂに跨る位置までスライドされて引き出される（Ｅ）。本実施形態では、支持補助部材５３のスライドを容易にするための構造を備えている。この構造の詳細については後述する。
【００４７】
図１０は、本実施形態の頁めくり装置１を使用するために収納状態から使用状態への移行途中（ブックホルダー５１の設置状態）を示す斜視図である。図１０には、図９に示す状態から、ブックホルダー５１を使用時の位置に固定するまでの過程が示されている。使用時には、ネジ部５１２を緩め、ベースプレート５０に装着したまま斜め方向に一旦引き出した後（矢印Ｆ）、反時計回りに回転させ（矢印Ｇ）、図示の所定の位置に設置する。本を固定するときは、ネジ部５１２を緩めた状態で、本を挟んでから、ネジ部５１２、固定つまみ５２の両方を締めて固定する。
【００４８】
図１１（ａ）、（ｂ）は、本実施形態による頁押さえ装置３０の外観構造を示す斜視図である。上述したように、頁押さえ装置３０は、頁保持部３１とクリップ部３２とからなる。頁保持部３１は、羽根付きローラ３３、３４を備えている。羽根付きローラ３３、３４は、不図示のモータを格納する格納部３５を中心に左右に配置されている。当該羽根付きローラ３３、３４は、同軸上で同一方向（図面の反時計回り）に回転する。頁保持部３１は、着脱可能にクリップ部３２に固定されている。頁保持部３１は、クリップ部３２に固定された状態で、簡単な操作で前後方向に移動可能となっている。
【００４９】
羽根付きローラ３３、３４は、各々、羽根部６０と押さえローラ６１、羽根部６２と押さえローラ６３とからなる。羽根部６０、６２は、各々、４枚の羽根部材６００、６２０からなり、無負荷時においては、それぞれが９０度異なる方向に延在するように、それぞれの押さえローラ６１、６３の側面に設けられている。羽根部材６００、６２０は、例えばＰＥＴなどの樹脂からなる可撓性の板状部材から成る。また、４枚の羽根部材６００、６２０の先端部には、例えばウレタンゴムなど、頁との摩擦抵抗が高く、耐摩耗性のある素材から形成されたシート部材６０１、６２１が設けられている。なお、羽根部６０の羽根部材６００と、羽根部６２の羽根部材６２０とは、異なるタイミングで頁の頁面を擦るように、回転軸に対して異なる角度となるように設けられている。
【００５０】
押さえローラ６１、６３は、めくり先位置にある頁上に頁を押圧する方向に配置されている。押さえローラ６１、６３は、格納部３５に格納された不図示のモータによって、頁をめくり先位置に巻き込むように（図１１（ａ）に向かって反時計回りに）回転する。羽根部６０、６２は、各々、押さえローラ６１、６３の側面に設けられているので、押さえローラ６１、６３とともに同一方向（図１１（ａ）に向かって反時計回り）に回転する。そして、羽根部６０、６２は、その先端のシート部材６０１、６２１により、往復揺動するアーム部１２の先端部の吸着部１４より搬送される頁の頁面を擦るようしてめくり先位置に巻き込む。押さえローラ６１、６３は、羽根部６０、６２によって巻き込まれた頁を、めくり先位置で押え込む。
【００５１】
また、頁保持部３１は、押さえローラ６１、６３への加重するための重り６４を備えている。重り６４は、ヒンジ（後述）を介して前後に倒すことが可能となっており、押さえローラ６１、６３に加重する加重状態と加重しない非加重状態とを切り替えることができるようになっている（加重制御部）。図１１（ａ）、（ｂ）には、重り６４を格納部３５の上に載せて押さえローラ６１、６３を加重した状態、すなわち加重状態を示している。加重状態と非加重状態とを切り替えることで、押さえローラ６１、６３による頁に対する押え込み力を調整することができる。
【００５２】
また、頁保持部３１とクリップ部３２とは、固定レール６５を介して、着脱用ネジ６６によって着脱可能に固定されている。頁保持部３１のスライダ６７は、ローラ位置固定ネジ６８を締めることで、固定レール６５に固定され、ローラ位置固定ネジ６８を緩めることで固定レール６５に対して前後にスライド可能になっている。
【００５３】
また、スライド操作部６９は、クリップ部３２に対して頁保持部３１を前後にスライドさせる際の把持部である。スライド操作部６９の両端には、一端がスライド操作部６９に対して回動自在に固定され、他端がローラ位置固定ネジ６８でスライダ６７に着脱可能に固定される一対のアーム７０、７０が延設されている。
【００５４】
したがって、ローラ位置固定ネジ６８を緩めることで、スライダ６７が解放されるとともに、アーム７０、７０の他端側が解放されるので、クリップ部３２に頁保持部３１を装着したままの状態で、スライド操作部６９を前後に移動させて、クリップ部３２に対する頁保持部３１の前後位置を調整することができる。これにより、本の大きさに応じて、羽根付きローラ３３、３４の位置を容易に調整することができる。
【００５５】
また、クリップ部３２は、ヒンジ機構及びバネ機構を備えており、把持部７１を矢印方向に握ることでクリップ先端部が開き、離すことでクリップ先端部がバネ機構により自動的に閉じるようになっている。本の頁をめくっていくと、めくられた頁が厚くなり、次第に頁保持部３１で固定するのは困難になる。そこで、めくられた頁がある程度厚くなった時点で、一旦、めくり動作を停止し、めくられた頁をクリップ部３２で挟み直す必要がある。このとき、本実施形態によれば、頁保持部３１を取り付けた状態で、めくられた複数の頁をクリップ部３２で挟んで固定することができる。
【００５６】
また、図１１（ｂ）に示すように、頁保持部３１のスライダ６７の近傍には、レバー部７２が設けられている。該レバー部７２を回転させることで、押さえローラ６１、６３がめくられてきた頁に接触しないように浮かした状態とすることが可能となっている。押さえローラ６１、６３を浮かすことで、羽根部６０、６２のみで頁を巻き込んで押え込むようになっている。
【００５７】
図１２は、本実施形態の頁めくり装置１を使用するために収納状態から使用状態への移行途中（頁押さえ装置３０の取り付け状態）を示す斜視図である。また、図１３は、本実施形態の頁めくり装置１を使用するために収納状態から使用状態への移行途中（頁押さえ装置３０の取り付け状態）を示す側面図である。
【００５８】
図１２及び図１３には、図１０に示す状態の頁めくり装置１に頁押さえ装置３０を取り付けた状態が示されている。図３に示したように、収納ボックス８０の外側面の差し込み部８１から引き抜かれた頁押さえ装置３０は、保持板２２ａの上端部に引っ掛けるようにして固定される。頁保持部３１は、本のサイズに応じて、クリップ部３２に対して前後方向（図１３の矢印Ｈ）にスライド可能になっている。つまり、クリップ部３２に頁保持部３１を装着したままの状態で、羽根付きローラ３３（３４）の位置を調整することが可能である。ユーザは、押さえローラ６１、６３が頁の端部付近（頁の少し内側）に位置するように頁保持部３１を前後に移動させて羽根付きローラ３３（３４）の位置を調整する。
【００５９】
図１４は、本実施形態において、使用時の撮像装置スタンド４０を示す側面図である。なお、以下の説明において、括弧内の符号は、図示できない側に設けられた構成要素を示す。撮像装置スタンド４０は、タブレット端末などの情報処理端末が設置されるステージ４１と、高さを調整可能に構成された脚部９２、９３とから構成されている。ステージ４１は、不図示の情報処理端末が設置される設置面１００を有し、該設置面１００には、下向きに設置された情報処理端末のカメラ部を露出させるための開口部４２が設けられている。開口部４２は、ステージ４１に対して長手方向に沿って長尺状に形成されている。また、ステージ４１の先端部（図示の下側）の底部は、カメラ部の画角を確保するために（ステージ４１の厚みによるケラレ防止のために）、テーパー１０２が形成されている。これによって軽量化も実現している。
【００６０】
また、ステージ４１の後端部（図面の右側）の両側面には、使用時にステージ４１を水平状態で脚部９２に固定するためのストッパ１０３ａ（１０３ｂ）が形成されている。ステージ４１の後端部（図面の右側）の両側面には、可動軸１０４ａ（１０４ｂ）が設けられている。頁めくり装置１の使用時（頁めくり時）には、図３等に示す状態から、設置面１００が水平になるまでステージ４１を可動軸１０４ａ（１０４ｂ）を回転軸として回動させ（矢印Ｉ）、その後、脚部９２に形成された孔部１１４ａ（１１４ｂ）に沿ってステージ４１を後方にスライドさせる（矢印Ｊ）。ステージ４１を後方にスライドさせることによって、ステージ４１の両側部に形成されたストッパ１０３ａ（１０３ｂ）が脚部９２に形成された溝部１１３ａ（１１３ｂ）に挿入されて係合する。この結果、ステージ４１は、ネジ等で固定することなく、水平状態で脚部９２に確実に固定される。
【００６１】
また、脚部９２の側板１１０ａ、１１０ｂは、各々、上側を前方に突出させた形状を有し、その突出部分に上述したステージ４１のストッパ１０３ａ（１０３ｂ）が挿入される溝部１１３ａ（１１３ｂ）が形成されており、該溝部１１３ａ（１１３ｂ）には、上述したステージ４１の可動軸１０４ａ（１０４ｂ）が挿入される孔部１１４ａ（１１４ｂ）が形成されている。
【００６２】
脚部９２は、収納時に収納ボックス８０が挿入された際に、両側面から収納ボックス８０を支持するように、側板１１０ａ、１１０ｂと、該側板１１０ａ、１１０ｂを所定の間隔で連結する不図示の底板とから構成されている。脚部９２の高さは、脚部９３に対して調節・固定可能となっている。
【００６３】
次に、脚部９３は、脚部９２（すなわち、ステージ４１）を保持し、かつ所望する高さで固定するための側板１２０ａ、１２０ｂと、該側板１２０ａ、１２０ｂを所定の間隔で連結した底板とから構成されている。側板１２０ａ、１２０ｂには、各々、脚部９２の高さ調節・固定するための一対の昇降用ボタン１２２ａ（１２２ｂ）が対向する位置に設置されている。
【００６４】
また、脚部９３の底板には、スタンド固定板５４の突起部５４１、５４２が挿入されるための不図示の２つの孔が形成されている。使用時には、回転させてベースプレート５０から引き出したスタンド固定板５４の突起部５４１、５４２を、脚部９３の底板に形成されている２つの孔に挿入することで、撮像装置スタンド４０をスタンド固定板５４に固定する。
【００６５】
以上、本実施形態による頁めくり装置１の頁めくり開始に際しての手順は以下の通りである。
（１）収納ボックス８０から、頁めくり本体部１０や保持台２０等を取り出す（図５）。
（２）保持台２０の保持板２２ａ、２２ｂ、２１ｂを展開する（図６）。
（３）撮像装置スタンド４０のスタンド固定板５４を回転させて展開する（図８）。
（４）支持補助部材５３をスライドさせる（図９）。
（５）ブックホルダー５１のネジ部５１２を緩めてブックホルダー５１をスライド及び回転させて、本を保持台２０に載置し、裏表紙をブックホルダー５１と保持板２１との間に挟み込んでと固定つまみ５２とネジ部５１２を締め付けて固定する（図１０）。
（６）頁押さえ装置３０を取り付ける(図１２、図１３）。
（７）撮像装置スタンド４０を組み立ててスタンド固定板５４に取り付ける（図１）。
頁めくり装置１の収納時には、上述した手順の逆順で行う。
【００６６】
図１５は、本実施形態の頁めくり本体部１０のベースプレート５０への固定方法を説明するための斜視図である。また、図１６は、本実施形態の頁めくり本体部１０のベースプレート５０への固定方法を説明するための上面図である。図１５及び図１６には、ベースプレート５０から保持台２０を取り外した状態が示されている。頁めくり本体部１０は、板状の台座１３０に固定されている。前述したように、本体部１１の前面の一部が、上から下にいくほど、手前から奥側に傾斜するように斜めにカットされている。台座１３０には、長形状の孔１３１が形成されており、該孔１３１を介してネジ１３２によりベースプレート５０に固定されている。
【００６７】
頁めくり本体部１０及び台座１３０は、ネジ１３２を緩めることで、孔１３１の形状に沿って横方向（矢印Ｋ）に移動させることができるとともに、ネジ１３２を回転軸として回転（矢印Ｌ）させることができる。そして、ネジ１３２を締めることで、所望する位置に固定することができる。換言すれば、孔１３１の長さによって頁めくり本体部１０の可動範囲は制限される。このように、どのようなサイズの本を取り扱う場合であっても（本実施形態では、基本は文庫本サイズ〜Ａ５、拡張してＡ４まで）、アーム部１２の先端部の吸着部１４が適切な軌跡で往復揺動するように、頁めくり本体部１０の位置と向きを調整することが可能となっている。
【００６８】
図１７は、本実施形態の頁めくり本体部１０の位置調整方法（文庫本、Ａ５サイズ）を説明するための上面図である。また、図１８は、本実施形態の頁めくり本体部１０の位置調整方法（Ａ４サイズ）を説明するための上面図である。頁めくり本体部１０の台座１３０の一部には、頁めくり本体部１０を設置する位置、向きをガイドするためのマーカーＭ１が記されている。一方、ベースプレート５０には、頁めくり本体部１０が設置されたときに適切な位置、向きとなるようにガイドするマーカーＭ２、Ｍ３が本のサイズ毎に記されている。
【００６９】
つまり、本が文庫（Ａ６；１０５ｍｍ×１４８ｍｍ）〜Ａ５（１４８ｍｍ×２１０ｍｍ）までのサイズのときには、マーカーＭ１とマーカーＭ２が向き合うように、図面に向かって可動範囲の最も右側に頁めくり本体部１０を移動させ、頁めくり本体部１０の位置、向きを調整して固定する。これにより、頁めくり本体部１０は、文庫〜Ａ５サイズまでの本の頁をめくるのに適切な位置となる（図１７）。なお、本実施形態では、マーカーＭ１とマーカーＭ２が向かい合った位置、すなわち頁めくり本体部１０を、図面に向かって可動範囲の最も右側に移動させた位置が初期状態（収納時の状態）である。つまり、文庫本サイズ〜Ａ５サイズまでの本の場合には、ユーザによる調整が不要となる。
【００７０】
また、本がＡ４サイズ（２１０ｍｍ×２９７ｍｍ）のときには、図１７に向かって可動範囲の最も左側に頁めくり本体部１０を移動させ、マーカーＭ１とマーカーＭ３が向き合う位置、向きになるように調整して固定すれば、頁めくり本体部１０は、Ａ４サイズの本の頁をめくるのに適切な位置、向きとなる（図１８）。なお、Ａ４サイズの本を扱う場合には、図１８に示すように、Ａ４サイズの本を保持するための拡張板１３５を保持板２１（２１ａ、２１ｂ）の上に設置する。また、Ａ４サイズの本に対して頁めくりを行う場合には、支持補助部材５３及びブックホルダー５１もＡ４サイズにあった長さのものに取り替える。また、図示の例では、文庫本（〜Ａ５）、Ａ４に対してのみマーカーＭ２、Ｍ３を記したが、これに限らず、他のサイズに対応するマーカーを記すようにしてもよい。
【００７１】
図１９は、本実施形態の頁めくり装置１の送風部１６の取り付け位置と従来との違いを説明するための正面図である。図１９には、本実施形態による頁めくり本体部１０と従来技術による頁めくり本体部１０Ａとが同一平面上に設置した状態が示されている。本実施形態による頁めくり本体部１０の送風部１６の設置面からの高さＨ１と従来の頁めくり本体部１０Ａの送風部１６Ａの設置面からの高さＨ２とを比べると、本実施形態よる送風部１６の高さＨ１の方が明らかに低くなっていることが分かる。本実施形態では、本体部１１の前面の一部を、上から下にいくほど、手前から奥側に傾斜するように斜めにカットした形状とすることで、アーム部１２、第一駆動部１３、吸着部１４、及び第二駆動部１５を、本体部１１の内部（窪み）に収納しない構造としたので（従来は収納する構造）、収納するための空間を省くことができ、送風部１６の位置を下げることを可能としている。そのため、本体部１１の高さを下げることができ、小型化に貢献している。また、送風部１６の位置を下げることで、エアーの向きの調整を不要とした。以下に詳細に説明する。
【００７２】
図２０は、本実施形態の頁めくり装置１の送風部１６の高さと本との関係を説明するための側面図である。上述したように、本実施形態では、送風部１６の取り付け位置を下げたことで、エアーの方向の調整が不要となった。従来は、送風部１６Ａの位置が本Ｂよりもかなり高いために、すなわち、本Ｂの高さＨＢと送風部１６Ａの高さＨ２との差が大きく、下方に向けるエアーと、水平に向けるエアーの２種類が必要であった。このため、送風部１６Ａの吹き出し口の構造が複雑になり、また、エアーの方向を調整のための手間がかかる。これに対して、本実施形態では、本の高さＨＢと送風部１６の高さＨ１との差が小さいため（所定の閾値以下）、すなわち、送風部１６の吹き出し口と本とが近いために、エアーの方向を調整する必要がない。このため、吹き出し口の構造が単純となり、ユーザにとっても調整不要であるので負担が軽減される。
【００７３】
図２１は、本実施形態の頁めくり装置１の頁めくり本体部１０の形状とブックホルダーの形状とを説明するための斜視図である。本実施形態では、頁めくり本体部１０の本体部１１の前面の一部を、上から下にいくほど、手前から奥側に傾斜するように斜めにカットした形状とするとともに、ブックホルダー５１に長手方向に斜めに延設された孔５１１を形成した。このため、ブックホルダー５１は、ネジ部５１２を軸として孔５１１に沿ってスライドさせると、前述したように、収納時、本体部１１を斜めにカットしたことにより空き領域が生じるので、本体部１１に突き当たることなく、ベースプレート５０に装着したまま斜めに収納することが可能となっている。また、ブックホルダー５１の後端部（固定つまみ５２の反対側）の形状を、丸みを帯びた形状とすることでより円滑に移動させることが可能となっている。
【００７４】
図２２は、本実施形態の頁めくり装置１の支持補助部材５３の収納状態とスライド構造を説明するための上面図及び斜視図である。また、図２３は、本実施形態の頁めくり装置１の支持補助部材５３のスライド構造を説明するための模式図である。
【００７５】
本実施形態では、本の背表紙に当接させる支持補助部材５３は、ゴムなどの弾性部材からなり、使用時には所定の位置にスライドさせ、収納時には頁めくり本体部１０側にスライドさせて本体部１１の斜めにカットされたことによって生じた空き領域に退避させる構造としている。このため、支持補助部材５３をＬ型部材の台座１４０に載置し、保持板２１ａと保持板２２ａの間に介在するヒンジ部分に、台座１４０の背部分の上端部を挟み込むようにガイド部材１４１を設置している。台座１４０は、スライド操作性、耐久性等から金属や樹脂などの剛性の高い部材から形成されていることが望ましい。特に、収納時には、支持補助部材５３を頁めくり本体部１０側にスライドさせると、保持板２１ａ、２２ａの接合部分の立ち上がりで支持補助部材５３が支持されなくなる。また、頁めくり時にも、保持板２１ｂ側には支持補助部材５３を支持する部材がない。このためにも、支持補助部材５３は、金属や樹脂などの剛性の高い部材から形成された台座１４０で支持することが望ましい。
【００７６】
また、台座１４０の背部分の上端部をガイド部材１４１の隙間に挟み込むために、図２３に示すように、台座１４０の背部分と支持補助部材５３の背部分との間に隙間を形成すべくスペーサ１４４を配設している。また、このような構造を有するため、支持補助部材５３は、台座１４０ごと着脱可能である。上述したように、Ａ４サイズの本に対して頁めくりを行う場合には、拡張板１３５を取り付けるが、このとき、支持補助部材５３もＡ４サイズにあった長さのものに取り替えられるようになっている（不図示）。また、保持板２１ｂ、２２ｂの一部に切り欠き部１４２、１４３を設けることで、収納時には、支持補助部材５３を装着したままで、保持板２１ｂ、２２ｂを折り畳むことが可能となっている。
【００７７】
上述した実施形態によれば、頁めくり装置１の使用時には、本を見開いた状態で保持可能なサイズに展開され、当該頁めくり装置１の未使用時には、少なくとも展開時のサイズより小さいサイズに折り畳み可能な構造を有する保持台２０と、見開いた本の頁のめくり元位置で当該頁を保持し、頁のめくり先位置まで頁をめくる頁めくり機構と、当該頁めくり機構を駆動するための駆動回路を収容する本体部１１とを有する頁めくり本体部１０と、保持台２０に載置された本をめくり元位置で保持するためのブックホルダー５１と、を備え、本体部１１は、前面の一部が上から下にいくほど、手前から奥側に傾斜するように斜めにカットされた形状を有し、ブックホルダー５１は、当該頁めくり装置１の使用時には、保持台２０に載置された本の天地に渡って保持台２０上に配置され、当該頁めくり装置１の未使用時には、本体部１１の斜めにカットされたことによって生じた空き領域に退避することで斜めに収納可能に構成されるようにしたので、頁めくり装置１をコンパクトに収納することができる。
【００７８】
上述した実施形態によれば、文庫本サイズ〜Ａ５サイズの本を所定の角度で保持する保持台２０と、頁めくり機構を有する頁めくり本体部１０とを、文庫本サイズ〜Ａ５サイズの本の頁をめくるのに最適な設置位置でベースプレート５０に固定した状態で、保持台２０を少なくとも文庫本サイズ〜Ａ５サイズより小さいサイズに折り畳み、所定の縦横サイズの略直方体形状からなる収納ボックス８０の内部に収納し、該収納ボックス８０を、撮像装置スタンド４０の１対の脚部の間に挿入して収納するようにしたので、頁めくり装置１をコンパクトに収納することができる。
【００７９】
上述した実施形態によれば、保持台２０を４分割された矩形状の保持板２１ａ、２１ｂ、２２ａ、２２ｂから構成し、４分割された保持板のうち、２つの保持板２１ａ、２１ｂでめくり元位置を構成し、残りの２つの保持板２２ａ、２２ｂでめくり先位置を構成し、頁めくり時には、２つの保持板２１ａ、２１ｂで構成される面が文庫本サイズ〜Ａ５サイズとなり、収納時には、保持板２１ｂ、２２ａ、２２ｂが保持板２１ａ上に折り畳まれるようにしたので、保持台２０をコンパクトに折り畳むことができる。
【００８０】
また、上述した実施形態によれば、ベースプレート５０に固定された保持板２１ａとヒンジｈ５を介して保持板２１ｂと連結し、保持板２２ａとヒンジｈ６を介して保持板２２ｂとを連結し、さらに、ヒンジｈ５とヒンジｈ６とが略直線上に並ぶように配置したとき、保持板２１ａと保持板２２ａとがヒンジｈ１を介して連結するようにしたので、保持台２０をコンパクトに折り畳むことができる。
【００８１】
また、上述した実施形態によれば、頁めくり本体部１０によってめくり元位置からめくり先位置までめくられた頁を、めくり先位置で保持する頁押さえ装置３０をさらに備え、収納ボックス８０に、当該頁めくり装置１の未使用時に、自身の外側面に頁押さえ装置３０を引っ掛けて固定する差し込み部８１を備えるようにしたので、さらなる一体化収納を実現することができる。
【００８２】
また、上述した実施形態によれば、頁めくり本体部１０の本体部１１の前面の一部を、上から下にいくほど、手前から奥側に傾斜するように斜めにカットした形状とし、頁めくり機構による頁めくり動作を補助する送風部１６を、自身の設置面からの高さＨ１と保持台２０に載置された本Ｂの高さＨＢとの差分が所定の閾値以下となる高さに設置するようにしたので、送風部１６からエアーの方向を調整する必要がなくなり、ユーザの負担を軽減することができる。
【００８３】
また、上述した実施形態によれば、本体部１１を、自身の台座１３０に形成された長形状の孔（長孔）１３１を介してネジ１３２によってベースプレート５０に着脱可能に固定し、ネジ１３２を緩めることで、ベースプレート５０に係合された状態で、ネジ１３２を回転軸として回転可能に、かつ長形状の孔１３１の形状に沿って移動可能とするようにしたので、どのようなサイズの本を取り扱う場合であっても（本実施形態では、基本は文庫本サイズ〜Ａ５、拡張してＡ４まで）、アーム部１２の先端部の吸着部１４が適切な軌跡で往復揺動するように、頁めくり本体部１０の位置と向きを調整することができる。
【００８４】
また、上述した実施形態によれば、ベースプレート５０に本のサイズに応じて、本体部１１の設置位置を示すマーカーＭ２、Ｍ３を記すようにしたので、本のサイズに応じて本体部１１をマーカーＭ２、Ｍ３に合わせるだけで、アーム部１２の先端部の吸着部１４が適切な軌跡で往復揺動するように、頁めくり本体部１０の位置と向きを調整することができる。
【００８５】
上述した実施形態によれば、ベースプレート５０の裏面に撮像装置スタンド４０を固定するためのスタンド固定板５４を回転可能にネジで固定し、収納ボックス８０への収納時には、ベースプレート５０の裏側に隠蔽され、当該頁めくり装置１の使用時には、ベースプレート５０の裏側から引き出されて所定の位置に設置するようにしたので、頁めくり装置１をコンパクトに収納することができるとともに、容易に撮像装置スタンド４０を位置決めすることができる。
【００８６】
上述した実施形態によれば、本を前記めくり元位置で保持するためのブックホルダー５１をベースプレート５０に着脱可能に固定し、収納ボックス８０への収納時には、ベースプレート５０に固定したまま、自身の一部を本体部１１の斜めにカットされたことによって生じた空き領域に退避させることで、ベースプレート５０に対して斜めに収納するようにしたので、頁めくり装置１をコンパクトに収納することができるとともに、頁めくり装置１の使用時には容易にセッティングすることができる。
【００８７】
また、上述した実施形態によれば、ブックホルダーを、長手方向に所定の角度で形成された長孔５１１を介してネジ部５１２によってベースプレート５０に着脱可能に固定し、ネジ部５１２を緩めることで、ベースプレート５０に係合された状態で、ネジ部５１２を回転軸として回転可能に、かつ長孔５１１の形状に沿って移動可能とするようにしたので、頁めくり装置１をコンパクトに収納することができるとともに、頁めくり装置１の使用時には容易にセッティングすることができる。
【００８８】
また、上述した実施形態によれば、保持台２０に保持された本の背部分の法線と水平面とがなす鋭角の角度がより大きくなるように支持補助部材５３で支持し、当該頁めくり装置１の使用時には、支持補助部材５３を保持台２０と該保持台２０に設置される本の背部分との間に配置し、収納ボックス８０への収納時には、支持補助部材５３の一部を本体部１１の斜めにカットされたことによって生じた空き領域にスライドさせて退避するようにしたので、頁めくり装置１をコンパクトに収納することができるとともに、頁めくり装置１の使用時には容易にセッティングすることができる。
【００８９】
また、上述した実施形態によれば、支持補助部材５３における本の背部分に当接する面以外を、剛性が高い部材からなる台座１４０により支持するようにしたので、支持補助部材５３を容易に所定の位置にスライドすることできるとともに、支持補助部材５３を保護することができる。
【００９０】
また、上述した実施形態によれば、頁めくり装置１の未使用時、保持台２０に支持補助部材５３の一部が残存した状態でも保持台２０を折り畳めるように、保持台２０の所定の箇所に切り欠き部１４２、１４３を形成するようにしたので、支持補助部材５３の一部が残存した状態でも保持台２０を折り畳めることができ、頁めくり装置１をコンパクトに収納することができる。
【００９１】
また、上述した実施形態によれば、所定のサイズをＡ５サイズとしたので頁めくり装置１をコンパクトに収納することができる。
【００９２】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００９３】
（付記１）
付記１に記載の発明は、見開いた本の頁をめくる頁めくり装置であって、当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、前記保持台に載置された本を前記めくり元位置で保持するためのブックホルダーと、を備え、前記本体部は、前面の一部が上から下にいくほど、手前から奥側に傾斜するように斜めにカットされた形状を有し、前記ブックホルダーは、当該頁めくり装置の使用時には、前記保持台に載置された本の天地に渡って前記保持台上に配置され、当該頁めくり装置の未使用時には、前記本体部の斜めにカットされたことによって生じた空き領域に退避することで斜めに収納可能に構成されることを特徴とする頁めくり装置である。
【００９４】
（付記２）
付記２に記載の発明は、前記保持台と前記頁めくり本体部とを所定の状態で固定するベースプレートを備え、前記ブックホルダーは、前記ベースプレートに着脱可能に固定され、当該頁めくり装置の未使用時には、前記ベースプレートに固定されたまま前記ベースプレートに対して斜めに収納される、ことを特徴とする付記１に記載の頁めくり装置である。
【００９５】
（付記３）
付記３に記載の発明は、前記ブックホルダーは、長手方向に所定の角度で形成された長孔を介してネジ部によって前記ベースプレートに着脱可能に固定されており、前記ネジ部を緩めることで、前記ベースプレートに係合された状態で、前記ネジ部を回転軸として回転可能に、かつ前記長孔の形状に沿って移動可能となっていることを特徴とする付記２に記載の頁めくり装置である。
【００９６】
（付記４）
付記４に記載の発明は、所定の間隔で配置された少なくとも１対の脚部を有し、前記本の頁を撮像する撮像手段を有する情報処理端末が設置される撮像装置スタンドと、略直方体形状からなり、当該頁めくり装置の未使用時に、前記保持台、前記頁めくり本体部、及び前記ブックホルダーを前記略直方体形状の内部に収納し、前記撮像装置スタンドを構成する前記少なくとも１対の脚部の間に挿入される収納ボックスと、を備えることを特徴とする付記１乃至３のいずれか１つに記載の頁めくり装置である。
【００９７】
（付記５）
付記５に記載の発明は、前記頁めくり本体部によって前記めくり元位置から前記めくり先位置までめくられた頁を前記めくり先位置で保持する頁押さえ装置をさらに備え、前記収納ボックスは、当該頁めくり装置の未使用時に、自身の外側面に前記頁押さえ装置を引っ掛けて固定する固定部を備えることを特徴とする付記４に記載の頁めくり装置である。
【００９８】
（付記６）
付記６に記載の発明は、前記本のサイズは、Ａ５サイズであることを特徴とする付記１乃至５のいずれか１つに記載の頁めくり装置である。
【００９９】
（付記７）
付記７に記載の発明は、見開いた本の頁をめくる頁めくり装置であって、当該頁めくり装置の使用時には、前記本を見開いた状態で保持可能なサイズに展開され、当該頁めくり装置の未使用時には、少なくとも展開時の前記サイズより小さいサイズに折り畳み可能な構造を有する保持台と、前記見開いた本の前記頁のめくり元位置で当該頁を保持し、前記頁のめくり先位置まで前記頁をめくる頁めくり機構と、当該頁めくり機構を駆動するための駆動回路を収容する本体部とを有する頁めくり本体部と、前記保持台と前記頁めくり本体部とを所定の状態で固定するベースプレートと、前記保持台に載置された本を前記めくり元位置で保持するためのブックホルダーと、を備え、前記本体部は、前面の一部が上から下にいくほど、手前から奥側に傾斜するように斜めにカットされた形状を有し、前記ブックホルダーは、当該頁めくり装置の使用時には、前記保持台に載置された本の天地に渡って前記保持台上に配置され、当該頁めくり装置の未使用時には、前記本体部の斜めにカットされたことによって生じた空き領域に退避することで、前記ベースプレートに固定されたまま前記ベースプレートに対して斜めに収納可能に構成されることを特徴とする頁めくり装置である。
【０１００】
（付記８）
付記８に記載の発明は、見開いた本の頁をめくる頁めくり装置の収納方法であって、前記本を見開いた状態で保持する保持台と、前記見開いた本の前記頁のめくり元位置で当該頁を保持し、前記頁のめくり先位置まで前記頁をめくる頁めくり機構を有する頁めくり本体部と、前記保持台に載置された本を前記めくり元位置で保持するためのブックホルダーと、を略直方体形状からなる収納ボックスの内部に収納するに際して、前記保持台を折り畳んで収納するとともに、前記ブックホルダーを、前記頁めくり本体部の前面の一部を、上から下にいくほど、手前から奥側に傾斜するように斜めにカットした形状とすることによって生じた空き領域に退避させることで斜めに収納することを特徴とする頁めくり装置の収納方法である。
【０１０１】
（付記９）
付記９に記載の発明は、前記ブックホルダーは、前記保持台と前記頁めくり本体部とを所定の状態で固定するベースプレートに着脱可能に固定され、前記収納ボックスに収納する際は、前記ベースプレートに固定されたまま前記ベースプレートに対して斜めに収納される、ことを特徴とする付記８に記載の頁めくり装置の収納方法である。
【０１０２】
（付記１０）
付記１０に記載の発明は、前記ブックホルダーは、長手方向に所定の角度で形成された長孔を介してネジ部によって前記ベースプレートに着脱可能に固定されており、前記ネジ部を緩めることで、前記ベースプレートに係合された状態で、前記ネジ部を回転軸として回転可能に、かつ前記長孔の形状に沿って移動可能となっていることを特徴とする付記９に記載の頁めくり装置の収納方法である。
【０１０３】
（付記１１）
付記１１に記載の発明は、前記収納ボックスを、所定の間隔で配置された少なくとも１対の脚部を有し、前記本の頁を撮像する撮像手段を有する情報処理端末が設置される撮像装置スタンドの前記少なくとも１対の脚部の間に挿入して収納することを特徴とする付記８乃至１０のいずれか１つに記載の頁めくり装置の収納方法である。
【符号の説明】
【０１０４】
１…頁めくり装置、１０…頁めくり本体部、１１…本体部、１２…アーム部、１３…第一駆動部、１４…吸着部、１５…第二駆動部、１６…送風部、２０…保持台、２１、２１ａ、２１ｂ、２２、２２ａ、２２ｂ…保持板、２３…支持台座、３０…頁押さえ装置、３１…頁保持部、３２…クリップ部、３３、３４…羽根付きローラ、３５…格納部、４０…撮像装置スタンド、４１…ステージ、４２…開口部、５０…ベースプレート、５１…ブックホルダー、５２…固定つまみ、５３…支持補助部材、５４…スタンド固定板、６０、６２…羽根部、６１、６３…押さえローラ、６４…重り、６５…固定レール、６６…着脱用ネジ、６７…スライダ、６８…ローラ位置固定ネジ、６９…スライド操作部、７０…アーム、７１…把持部、７２…レバー部、８０…収納ボックス、８１…差し込み部、８２…差し込み孔、９２、９３…脚部、１００…設置面、１０２…テーパー、１０３ａ、１０３ｂ…ストッパ、１０４ａ、１０４ｂ…可動軸、１１０ａ、１１０ｂ…側板、１１３ａ、１１３ｂ…溝部、１１４ａ、１１４ｂ…孔部、１２０ａ、１２０ｂ…側板、１２２ａ、１２２ｂ…昇降用ボタン、１３０…台座、１３１…孔、１３２…ネジ、１３５…拡張板、１４０…台座、１４１…ガイド部材、１４２、１４３…切り欠き部、１４４…スペーサ、２３１…支持板、５１１…孔、５１２…ネジ部、５４１、５４２…突起部、６００、６２０…羽根部材、６０１、６２１…シート部材、Ａ、Ｂ、Ｃ、Ｄ、Ｅ、Ｆ、Ｇ、Ｈ、Ｉ、Ｋ、Ｌ…矢印、Ｈ１、Ｈ２、ＨＢ…高さ、Ｍ１、Ｍ２、Ｍ３…マーカー、ｈ１、ｈ２、ｈ３、ｈ４、ｈ５、ｈ６…ヒンジ、θ…傾斜角度
【図１】
2019166808.tif 000003
【図２】
2019166808.tif 000004
【図３】
2019166808.tif 000005
【図４】
2019166808.tif 000006
【図５】
2019166808.tif 000007
【図６】
2019166808.tif 000008
【図７】
2019166808.tif 000009
【図８】
2019166808.tif 000010
【図９】
2019166808.tif 000011
【図１０】
2019166808.tif 000012
【図１１】
2019166808.tif 000013
【図１２】
2019166808.tif 000014
【図１３】
2019166808.tif 000015
【図１４】
2019166808.tif 000016
【図１５】
2019166808.tif 000017
【図１６】
2019166808.tif 000018
【図１７】
2019166808.tif 000019
【図１８】
2019166808.tif 000020
【図１９】
2019166808.tif 000021
【図２０】
2019166808.tif 000022
【図２１】
2019166808.tif 000023
【図２２】
2019166808.tif 000024
【図２３】
2019166808.tif 000025